(57)【特許請求の範囲】
【請求項１】
天井、周壁面及び床部分を有する箱状のサウナ室構造体の床部分が、ガラスビーズ層と通気性、通水性、耐熱性、耐水性及び耐荷重性を有するガラスビーズ受板とよりなり、前記ガラスビーズ層は粒径１〜８ｍｍ程度の白色、茶色、緑色に夫々着色されたガラスビーズを混合してなり、前記床部分の下方位置に蒸気発生器を配設すると共に、室温を所定温度に昇温維持するための熱源を設け、入浴者が前記ガラスビーズ層の上方でシャワー浴可能に前記サウナ室構造体内にシャワー装置を設けたことを特徴とする蒸気浴装置。
【請求項２】
上記ガラスビーズ受板が、網板であることを特徴とする請求項１記載の蒸気浴装置。
【発明の詳細な説明】
【０００１】
【発明の属する技術分野】
本発明は蒸気浴装置に関し、更に詳しくは箱状のサウナ室構造体の床部分にガラスビーズを層状に設け、同一サウナ室内で入浴者が発汗及びシャワー浴を衛生的に行い得る蒸気浴装置に関する。
【０００２】
【従来の技術】
蒸気浴の代表的なものに所謂サウナ風呂がある。サウナ風呂は高熱した石に水若しくは湯をかけて水蒸気を発生させ、その水蒸気による蒸風呂が北欧でサウナ風呂として発祥し、現在では全体的構造を蒸気が室外に漏出しないように天井、壁面及び床面よりなる箱状のサウナ室構造体とこのサウナ室構造体の床面より下方位置に室内に蒸気を供給する蒸気発生器と室温を高温に維持するための熱源とより構成されているものに種々の改良を加えたものが存在する（例えば、特開平５−２６９１７８号公報参照）。
又、旧来から海浜付近の温泉地帯に於いては砂風呂がある。砂風呂は、自然を利用したもので、地熱で熱せられている砂内に体の首から下の部分を埋め所望時間経過後、砂内より出て入浴若しくはシャワー浴により体表面に付着した砂を洗い流して使用するものである。
【０００３】
【発明が解決しようとする課題】
上記従来例のサウナ風呂は、サウナ室内で発汗し、サウナ室より外へ出て別の場所でシャワー浴をし汗を流すために、サウナ室内の床が入浴者の汗や毛穴から出た老廃物で汚れ、サウナ室内は極めて不衛生であり、又、シャワー浴を行う場所をサウナ室外に設けなければならず、広いスペースの確保が必要となるという問題があった。
砂風呂は室外で行うためストレス解消になるという長所があるものの、季節や天候により使用が制限され、又、体表面に付着した砂中の雲母等の鉱物物質等がシャワー浴によっても流れ落ちにくいという問題点があった。
【０００４】
本発明者は、ガラス粒が体表面に付着せず、吸着性もなく急熱急冷に耐性があり、しかも水はけが良好であることに鑑み、廃気物として回収されるガラスを球状に加工し、サウナ室内の床部分に利用し、サウナ室内で蒸気浴とシャワー浴を可能にし、サウナ室の床部分を清掃することなく常に清潔が保たれている蒸気浴装置を提供することを目的とする。
【０００５】
【課題を解決するための手段】
上記目的を達成するために本発明のうち請求項１記載の発明は、天井、周壁面及び床部分を有する箱状のサウナ室構造体の床部分が、ガラスビーズ層と通気性、通水性、耐熱性、耐水性及び耐荷重性を有するガラスビーズ受板とよりなり、前記ガラスビーズ層は粒径１〜８ｍｍ程度の白色、茶色、緑色に夫々着色されたガラスビーズを混合してなり、前記床部分の下方位置に蒸気発生器を配設すると共に、室温を所定温度に昇温維持するための熱源を設け、入浴者が前記ガラスビーズ層の上方でシャワー浴可能に前記サウナ室構造体内にシャワー装置を設けたことを特徴とする。
請求項２記載の発明は、上記ガラスビーズ受板が網板であることを特徴とする。
【０００６】
【発明の実施の形態】
以下、図を参照にして本発明の実施の形態について説明する。
図１は本発明蒸気浴装置の一実施の形態における断面構成図、図２は要部である床部分の構成を示す分解斜視図である。これらの図において、サウナ室構造体は、天井１、周壁面２及び床部分３よりなり、天井１と周壁面２は平板状構築部材を用いて既知の箱状サウナ室を構成している。床部分３は、ガラスビーズ層４とガラスビーズ受板５とより構成されている。ガラスビーズ層４は廃棄ガラスを粒径１〜８ｍｍの球状に加工したガラスビーズよりなり、層厚２０〜８０ｃｍ、好ましくは５０〜６０ｃｍに形成されている。個々のガラスビーズは、透明の他に白色、茶色、緑色、赤色等に着色されている。廃棄ガラスを球状に加工するのはガラスビーズが皮膚面に当接した場合に皮膚面を傷つけないためであり、種々の色に着色されたガラスビーズを混合するのは色彩が天然砂のような柔らかい色となりストレス解消に役立つという理由による。ガラスビーズ受板５は通気性、通水性、耐熱性、耐水性及び耐荷重性を有する部材よりなり、例えばステンレス鋼、セラミック、硬質性合成樹脂等を材料とし、孔径が使用するガラスビーズ径よりも小径な網板を用いる。本実施の形態では、２枚の網板を重合してガラスビーズ受板５となしている。
【０００７】
床部分３の下方位置には、サウナ室構造体の外側に設けた蒸気発生装置６より蒸気を供給可能に連通された蒸気発生器７及び既知の熱源（図示省略）が配設されている。蒸気発生器７は、耐荷重性、耐腐蝕性に優れた材料よりなるパイプを、平面状で直線部が互いに略平行な位置関係となるように形成され、パイプの管壁には多数の蒸気供給孔８を設けている。蒸気供給孔８を設ける位置は問わないが、管壁の上部以外の部位、例えば左右側部、下側部であることが好適である。
【０００８】
底面９は耐熱性及び耐水性を有する材料、例えばセメントモルタル、セラミック、合成樹脂等より成り、周壁面２側から排水口１０にかけて緩やかに下降する傾斜面に形成され、排水口１０へ水を導くための案内突条１１が凸設されている。
【０００９】
耐水性、耐熱性及び耐荷重性を有する網１２を複数枚重合し、底面９と蒸気発生器７との間に介在させ、排水性を良好ならしめている。１３はシャワーである。
【００１０】
本実施の形態では、蒸気発生装置６より蒸気発生器７に送出された蒸気は蒸気供給孔８より、まずは床部分３の下方へ、次にガラスビーズ受板５及びガラスビーズ層４を通って室内へ供給される。ガラスビーズ層４の上面に横臥している入浴者１４は、この蒸気及び熱源（図示省略）からの加熱により発汗をし、発汗後はシャワー１３を用いて汗を洗い流す。シャワー１３より噴出する水は、入浴者１４の体表面の汗や老廃物を共に洗い流し、この汚水は、ガラスビーズ層４を流下し、ガラスビーズ層受板５、網１２を通って床面９上に集水され排水口１０より下水へと排水される。ガラスビーズは、網状高分子のガラス材料とし吸着性がなく、球状であるため汚水中の有機物質等はガラスビーズに吸着することなく、ガラスビーズ間の隙間を通って床面９へと流下する。従って使用後は、ガラス層４に水を散布することのみで、常に清潔が保たれる。
又、ガラスビーズは廃棄ガラスを球状に加工し、蒸気発生装置は廃材や学校や公園の剪定により出た切枝等を用いると、リサイクルに役立つ。
【００１１】
【発明の効果】
入浴者が一つのサウナ室で発汗及びシャワー使用を出来るため、設置に広いスペースを必要としないという効果がある。
床部分にガラスビーズ層を用いるので、入浴者の皮膚面にガラスビーズが密着せず、又、常に清潔な床を保持できるという効果がある。
廃棄ガラスのリサイクルにより用途が増え、社会問題化しているごみ問題の解決に寄与するという効果がある。
【図面の簡単な説明】
【図１】蒸気浴装置の断面構成図である。
【図２】床部分の構成を示す分解斜視図である。
【符号の説明】
１  天井
２  周壁面
３  床部分
４  ガラスビーズ層
５  ガラスビーズ受板
７  蒸気発生器
１３  シャワー
１４  入浴者
【図１】
0003593679.tif 000002
【図２】
0003593679.tif 000003